(57)【要約】【課題】ローラの軸部などの棒状部材の外周面にホットメルト接着剤を容易に巻き付けることのできる方法と、これに用いられる巻付治具を提供する。【解決手段】ホットメルト接着剤のシート２０上にセットされる、その長さが上記シート２０の幅よりも長い押え部材１１と、この押え部材１１の両端側に設けられた、斜面部１２ｋを有する案内部材１２とを備えたホットメルト接着剤の巻付治具１０を用い、熱したロール軸３０を、上記シート２０上で上記押え部材１１方向に転がして上記巻付治具１０に当接させた後、上記接着剤の塗布が完了したロール軸３０の両端部を上記案内部材１２，１２の斜面部１２ｋ，１２ｋに沿って上昇させて、柔らかくなったシート２０を所定の長さＬの位置２０ｂにて切断するようにした。【選択図】図１
2007286533.tif 000002
【特許請求の範囲】
【請求項１】
シート状のホットメルト接着剤を熱した棒状部材の外周面に塗布する方法であって、台紙から剥がした接着剤シートの長さ方向端面から所定の長さ長手方向に離隔した位置に、上記シートの幅以上の長さの押さえ部材を設置した後、上記シート上で上記棒状部材を上記シートの長さ方向端面から上記シートの長手方向に転がして上記棒状部材の外周面に上記接着剤を巻き付けて塗布するとともに、上記棒状部材が上記押さえ部材に当接した段階で、上記棒状部材を上方に持ち上げて、上記シートを上記押さえ部材の位置で切断するようにしたことを特徴とする接着剤の巻き付け方法。
【請求項２】
上記押さえ部材の長さを上記シートの幅よりも長くして、上記押さえ部材の上記シートの幅よりも外側に、上記接着剤シートの長さ方向端面とは反対側にいくにしたがって高さが高くなる斜面部を設けるとともに、上記押さえ部材に当接した上記棒状部材を上記斜面に沿って上方に案内するようにしたことを特徴とする請求項１に記載の接着剤の巻き付け方法。
【請求項３】
請求項１または請求項２に記載の接着剤の巻き付け方法に用いられる治具であって、その長さが上記シートの幅よりも長く、かつ、シート長さ方向端面側に斜面部を有するシート押さえ部材と、このシート押さえ部材の上記シートの幅よりも外側に設けられた、上記斜面部よりも急峻な斜面部を有する案内部材とを備えたことを特徴とするホットメルト接着剤の巻付治具。
【発明の詳細な説明】
【技術分野】
【０００１】
本発明は、棒状部材の外周面にホットメルト接着剤を巻き付ける方法と、これに用いられる巻付治具に関するものである。
【背景技術】
【０００２】
複写機やプリンタ装置の感光ドラムのクリーニング装置として、従来のブレードを用いたものに代えて、発泡ウレタンのローラを用いたクリーニング装置が提案されている。上記ローラ（ＯＡローラ）は、図５（ａ），（ｂ）に示すような、多数の溝５１が一定のピッチで形成された発泡ウレタンシート５０を準備するとともに、図６（ａ），（ｂ）に示すように、その外周面に接着層７０が形成された金属製のロール軸６０の外周面に上記発泡ウレタンシート５０を巻回して作製される（例えば、特許文献１参照）。
上記接着層７０を形成する際には、通常、図７に示すように、ホットメルト接着剤のシート７１をローラ１本分の長さＬだけ切り取って台紙より剥がし、熱した金属製のロール軸６０をその上で転動させることにより、上記接着剤を上記ロール軸６０の外周部に塗布する方法が行なわれている。
【特許文献１】特許第２８３４７１６号公報
【発明の開示】
【発明が解決しようとする課題】
【０００３】
しかしながら、従来の接着剤の巻き付け方法では、各ロール軸６０毎にホットメルト接着剤のシート７１を切り取るようにしているため、手間がかかり、作業効率が悪かった。
【０００４】
本発明は、従来の問題点に鑑みてなされたもので、ローラの軸部などの棒状部材の外周部にホットメルト接着剤を容易に巻き付けることのできる方法と、これに用いられる巻付治具を提供することを目的とする。
【課題を解決するための手段】
【０００５】
本発明者らは、鋭意検討した結果、ロール軸に接しているホットメルト接着剤のシートは、熱のため強度が大幅に低下しており、少し引張っただけでも切れてしまうことから、接着剤の巻付け後にロール軸を持ち上げるなどしてやれば、カッターを用いることなく、上記接着剤のシートを容易に切断することができることを見いだし、本発明に到ったものである。
すなわち、本願の請求項１に記載の発明は、シート状のホットメルト接着剤を熱した棒状部材の外周面に塗布する方法であって、台紙から剥がした接着剤シートの長さ方向端面から所定の長さ長手方向に離隔した位置に、上記シートの幅以上の長さの押さえ部材を設置した後、上記シート上で上記棒状部材を上記シートの長さ方向端面から上記シートの長手方向に転がして上記棒状部材の外周面に上記接着剤を巻き付けて塗布するとともに、上記棒状部材が上記押さえ部材に当接した段階で、上記棒状部材を上方に持ち上げて、上記シートを上記押さえ部材の位置で切断するようにしたことを特徴とするものである。
【０００６】
請求項２に記載の発明は、請求項１に記載の接着剤の巻き付け方法において、上記押さえ部材の長さを上記シートの幅よりも長くして、上記押さえ部材の上記シートの幅よりも外側に、上記接着剤シートの長さ方向端面とは反対側にいくにしたがって高さが高くなる斜面部を設けるとともに、上記押さえ部材に当接した上記棒状部材を上記斜面に沿って上方に案内するようにしたものである。
また、請求項３に記載の発明は、請求項１または請求項２に記載の接着剤の巻き付け方法に用いられる治具であって、その長さが上記シートの幅よりも長く、かつ、シート長さ方向端面側に斜面部を有するシート押さえ部材と、このシート押さえ部材の上記シートの幅よりも外側に設けられた、上記斜面部よりも急峻な斜面部を有する案内部材とを備えたことを特徴とするものである。
【発明の効果】
【０００７】
本発明によれば、熱した棒状部材の外周にホットメルト接着剤を巻き付ける際に、接着剤のシートの長さ方向端面から所定の長さ長手方向に離隔した位置に、上記シートの幅以上の長さの押さえ部材を設置した後、上記シート上で上記棒状部材を転がして上記棒状部材の外周面に上記シートを巻き付けるとともに、上記棒状部材が上記押さえ部材に当接した段階で、上記棒状部材を上方に持ち上げて、上記シートを上記押さえ部材の位置で切断するようにしたので、上記シートを、所定の位置で容易に切断することができる。したがって、カッターを用いることなく、上記接着剤を上記棒状部材に外周面に容易に塗布することができる。
【発明を実施するための最良の形態】
【０００８】
以下、本発明の最良の形態について、図面に基づき説明する。
図１は、本発明の最良の形態に係るホットメルト接着剤の巻付治具１０を示す図で、この巻付治具１０は、台紙から剥がしたホットメルト接着剤のシート２０上にセットされる、その長さが上記シート２０の幅よりも長い押え部材１１と、この押え部材１１の両端側にそれぞれ配置された、斜面部１２ｋが設けられた案内部材１２とを備えたもので、本例では、上記押え部材１１の上記案内部材１２の斜面部１２ｋ側に、上記斜面部１２ｋの傾斜よりも緩やかな傾斜を有する斜面部１１ｋを設けている。
次に、図１及び図２（ａ），（ｂ）を参照して、上記巻付治具１０を用いて、熱したロール軸３０の外周面にホットメルト接着剤を巻き付けて、ＯＡローラに使用されるロール軸３０の外周面に接着剤を塗布する方法について説明する。
まず、台紙から剥がしたホットメルト接着剤のシート２０の長さ方向端面２０ａから所定の長さＬの位置（以下、切り取り位置という）２０ｂに、上記押え部材１１の長手方向が上記シート２０の幅方向に平行になるように、上記巻付治具１０をセットする。このとき、上記巻用治具１０の斜面部１１ｋ，１２ｋが上記長さ方向端面２０ａ側を向くようにセットする。
次に、上記シート２０の長さ方向端面２０ａに所定の温度に熱したロール軸３０をセットした後、上記ロール軸３０を上記シート２０上で上記押え部材１１方向に転がすと、上記ロール軸３０に接して暖められ柔らかくなったホットメルト接着剤が上記ロール軸３０の外周面に付着して接着層を形成する。
そして、上記ロール軸３０が上記巻付治具１０に当接した段階、すなわち、シート２０の巻付けが終了した段階で、図３（ａ），（ｂ）に示すように、上記ロール軸３０の接着剤が塗布されていない両端部を上記案内部材１２，１２の斜面部１２ｋ，１２ｋに沿って上昇させる。これにより、上記柔らかくなったシート２０には引張力が働くので、上記シート２０を切り取り位置２０ｂにて容易に切断することができる。
【０００９】
一本のロール軸３０への接着剤の塗布が終了したら、次に、上記巻付治具１０を所定の長さＬだけ後退させた位置にセットし直して、上記の作業を繰り返す。これにより、多数のロール軸３０に接着剤を効率よく塗布することができる。すなわち、本例の方法では、各ロール軸３０毎にホットメルト接着剤のシート２０を切り取ることなくロール軸３０に接着剤を塗布できるので、上記シート２０を切っておく工程を省略することができる。また、台紙をまとめて剥がせるので、作業効率が向上する。
また、本例では、上記押え部材１１の斜面部１１ｋの傾斜が案内部材１２の斜面部１２ｋよりも緩やかにしているので、上記ロール軸３０に付着した接着剤が上記押さえ部材１１の斜面に触れることがない。したがって、上記シート巻付用治具１０は繰返し何度でも使用することが可能である。
【００１０】
このように、本最良の形態によれば、ホットメルト接着剤のシート２０上にセットされる、その長さが上記シート２０の幅よりも押え部材１１と、この押え部材１１の両端側に設けられた、斜面部１２ｋを有する案内部材１２とを備えたホットメルト接着剤の巻付治具１０を用い、熱したロール軸３０を上記シート２０上を上記押え部材１１方向に転がして上記巻付治具１０に当接させた後、上記接着剤の塗布が完了したロール軸３０の両端部を上記案内部材１２，１２の斜面部１２ｋ，１２ｋに沿って上昇させて、柔らかくなったシート２０を所定の長さＬの位置２０ｂにて切断することにより、上記シート２０を、所定の位置で容易に切断することができるようにしたので、接着剤の塗布作業を効率的に行うことができる。
【００１１】
なお、上記最良の形態では、ＯＡローラに使用されるロール軸３０の外周面に接着剤を塗布する場合について説明したが、本発明はこれに限るものではなく、他の棒状の部材にホットメルト接着剤を塗布する場合にも適用可能であることは言うまでもない。
また、上記例では、巻付治具１０を用いて、接着剤の塗布が完了したロール軸３０の両端部を案内部材１２，１２の斜面部１２ｋ，１２ｋに沿って上昇させて、ホットメルト接着剤のシート２０を切断するようにしたが、図４（ａ）に示すように、その長さがロール軸３０の長さに等しい押え部材１６と、この押え部材１６の両側に、上記押え部材１６よりも前側に突出する当て部材１７，１７とを備えるとともに、上記当て部材１７，１７の側面に上下方向に延長する凸部１７ｚ，１７ｚをそれぞれ設け、上記押え部材１６の上記凸部１７ｚ，１７ｚに対向する位置に凹部１６ｚ，１６ｚを設けるなどして、上記当て部材１７，１７を上記押え部材１６の側面に沿って上方に移動可能に取付けた巻付治具１０Ｚを準備し、熱したロール軸３０を、上記シート２０上で上記押え部材１１方向に転がして上記巻付治具１０Ｚに当接させた後、図４（ｂ），（ｃ）に示すように、上記当て部材１７，１７を上記ロール軸３０の両端部に当接させて上記ロール軸３０を上方に持ち上げるようにしても、上記ホットメルト接着剤のシート２０を容易に切断することができる。
【産業上の利用可能性】
【００１２】
このように、本発明によれば、カッターを用いることなく、熱した棒状部材の側面にホットメルト接着剤を容易に巻き付けることができるので、接着剤塗布作業を効率よく行うことができる。
【図面の簡単な説明】
【００１３】
【図１】本発明の最良の形態に係るシート巻付用治具を示す図である。
【図２】本最良の形態に係る接着剤の巻き付け方法を示す図である。
【図３】本最良の形態に係る接着剤の巻き付け方法を示す図である。
【図４】本発明による接着剤の巻き付け方法の他の例を示す図である。
【図５】ＯＡローラに使用される溝入り発泡ウレタンシートを示す図である。
【図６】発泡ウレタンを用いたＯＡローラの概略を示す図である。
【図７】従来の接着剤の巻き付け方法を示す図である。
【符号の説明】
【００１４】
１０，１０Ｚ  ホットメルト接着剤の巻付治具、１１  押え部材、１１ｋ  斜面部、
１２  案内部材、１２ｋ  斜面部、１６  押え部材、１６ｚ  凹部、１７  当て部材、
１７ｚ  凸部、２０  ホットメルト接着剤のシート、２０ａ  長さ方向端面、
２０ｂ  切り取り位置、３０  ロール軸。
【図１】
2007286533.tif 000003
【図２】
2007286533.tif 000004
【図３】
2007286533.tif 000005
【図４】
2007286533.tif 000006
【図５】
2007286533.tif 000007
【図６】
2007286533.tif 000008
【図７】
2007286533.tif 000009